(57)【特許請求の範囲】
【請求項１】
排水を貯溜可能で上端に開口が形成された有底筒状の封水室を有し、前記封水室に上方又は側方から排水が流入したときに前記封水室から溢れ出した排水を排出口から排出するように構成した排水トラップであって、
前記封水室は、側方から排水を流入させる排水枝管が接続される第一封水室と、上方からの排水を流入させる第二封水室とを有し、前記第一封水室の上端の開口位置を前記第二封水室の上端の開口位置よりも高い位置に設け、
前記第一封水室を挟むように前記第二封水室が配置され、
前記第一封水室を跨ぐように二股に分岐して前記第二封水室内に挿入され、上端に流入した排水を下端の開口から前記第二封水室に流出させる防臭筒を有することを特徴とする排水トラップ。
【請求項２】
前記第一封水室は、前記排水枝管側の一端部から前記排出口の臨む他端部に向けて延びており、他端部に向けて深さが減少していることを特徴とする請求項１に記載の排水トラップ。
【請求項３】
前記防臭筒は、前記第一封水室の上端の開口との間に隙間を有して支持されていることを特徴とする請求項１又は請求項２に記載の排水トラップ。
【発明の詳細な説明】
【技術分野】
【０００１】
本発明は、浴室の洗い場や、流し台、洗面台等に設けられる排水トラップに関する。
【背景技術】
【０００２】
浴室の洗い場等において排水用の配管経路中には、下水側からの悪臭や害虫の侵入を防止するために排水トラップが設けられている。排水トラップとしては、一定の深さで排水を溜め、上端に開口が形成された封水室と、封水室の開口から溢れ出した排水を排出する排水口とを有するものがある。封水室には、洗い場に開口する防臭筒が挿入されており、洗い場からの排水は、防臭筒の下端の開口から封水室に流入し、排水口から排出される。さらに、封水室の側部には、浴槽に開口する排水枝管が接続されている。浴槽からの排水は、排水枝管から封水室に流入し、排水口から排出される。下水側からの悪臭などは、封水室に溜まっている排水（以下、封水という）によって進路を阻まれるので、室内に侵入することはない（例えば、特許文献１参照）。
【特許文献１】特開平１０−３２３２９７号公報
【発明の開示】
【発明が解決しようとする課題】
【０００３】
ところで、封水室に溜まっている封水の水位が排水枝管の接続高さや、防臭筒の下端を下回ると、排水口と排水枝管や、排水口と防臭筒が直接連通してしまって、悪臭などの侵入を阻めなくなる。このため、封水室の上端開口から排水枝管の接続位置までの長さ（以下、排水枝管の封水高さという）や、封水室の上端開口から防臭筒の下端までの長さ（以下、防臭筒の排水高さという）を十分に確保することが要求される。
【０００４】
ここで、排水枝管の封水高さについては、排水枝管との連通口を小さくすれば排水高さを大きくすることができるが、連通口における流路抵抗が大きくなって排出時間が増大するので好ましくない。排水トラップ全体としての高さを変化させて、排水枝管の接続位置を封水室の下方に設定すれば、封水高さは大きくなるが、排水トラップ全体の高さが大きくなるので浴室等への配置が難くなる。これに対して、排水トラップ全体としての高さを変化させずに、封水室の上端開口を高い位置に設定すると、封水高さは大きくなるが、排水口を洗浄する高圧洗浄管などを挿入し難くなるという問題が生じる。
この発明は、このような事情に鑑みてなされたものであり、排水トラップの大型化を防止しつつ、十分な封水高さを確保することを主な目的とする。
【課題を解決するための手段】
【０００５】
上記の課題を解決する本発明の請求項１に係る発明は、排水を貯溜可能で上端に開口が形成された有底筒状の封水室を有し、前記封水室に上方又は側方から排水が流入したときに前記封水室から溢れ出した排水を排出口から排出するように構成した排水トラップであって、前記封水室は、側方から排水を流入させる排水枝管が接続される第一封水室と、上方からの排水を流入させる第二封水室とを有し、前記第一封水室の上端の開口位置を前記第二封水室の上端の開口位置よりも高い位置に設け、前記第一封水室を挟むように前記第二封水室が配置され、前記第一封水室を跨ぐように二股に分岐して前記第二封水室内に挿入され、上端に流入した排水を下端の開口から前記第二封水室に流出させる防臭筒を有することを特徴とする排水トラップとした。
この排水トラップは、上方から流入する排水が流れる経路と、側方から流入する排水が流れる経路とを異ならせ、経路毎に封水室の上端の開口位置の高さを異ならせた。第一封水室に流入する排水は、第一封水室を通って第二封水室よりも高い位置から溢れ出す。第一封水室の開口位置が第二封水室の開口位置よりも相対的に高い分だけ、排水枝管の接続位置を高くすることができる。
また、この排水トラップは、側方から流入する排水の流れを大きく変化させることなく第一封水室から溢れ出るので、流路抵抗の増大が防止されて排水時間を短縮できる。
さらに、この排水トラップでは、上方からの排水が第二封水室に分配して流入し、第一封水室の排水の流れを妨げないようになる。
【０００７】
請求項２に係る発明は、請求項１に記載の排水トラップにおいて、前記第一封水室は、前記排水枝管側の一端部から前記排出口の臨む他端部に向けて延びており、他端部に向けて深さが減少していることを特徴とする。
この排水トラップは、排水口に向けて第一封水室の深さが減少しているので、第一封水室に流入した排水がその流れを大きく乱すことなく、速やかに上端の開口に導かれる。
【０００９】
請求項３に係る発明は、請求項１又は請求項２に記載の排水トラップにおいて、前記防臭筒は、前記第一封水室の上端の開口との間に隙間を有して支持されていることを特徴とする。
この排水トラップは、第一封水室に流入した排水が防臭筒との間の隙間を通って溢れ出して排出される。
【００１０】
なお、前記第一封水室を挟むように前記第二封水室を配置することに代えて、前記第一封水室は、前記封水室の中心からオフセットされた位置に前記第二封水室の外周に略沿って配置されていてもよい。
この排水トラップは、第一封水室と第二封水室とが並んで配置されるので、第二封水室を２分割した構成にする必要がない。
【００１１】
また、前記第一封水室は、前記排水口に向かって延びていてもよい。
この排水トラップは、第一封水室に流入した排水は、第一封水室に沿って流れ、主に先端側から溢れ出す。溢れ出した排水は、速やかに排水口に導かれる。
【発明の効果】
【００１２】
本発明によれば、上方から流入する排水が流れる経路と、側方から流入する排水が流れる経路とを異ならせることで、排水トラップの外形を大きく変化することなく、それぞれの経路に対して十分な封水高さを確保することができ、破封を防止できる。また、側方から流入する排水は、細長の第一封水室に沿って流れ、上端の開口から溢れ出すので、排水時間の増大を防止できる。
【発明を実施するための最良の形態】
【００１３】
（第一の実施の形態）
図１及び図２に示すように、排水トラップ１は、洗い場下に配置されるトラップ本体２を有し、トラップ本体２に上方からフランジ部材３、防臭筒４及び目皿５を順番に挿入した構成を有する。
【００１４】
トラップ本体２は、有底円筒状の封水室１１を有し、封水室１１の側部には排水枝管１４が一体に延設されている。排水枝管１４は、封水室１１の軸線（高さ方向）に略直交する方向に延びている。排水枝管１４に接続される配管Ｗ２は、封水室１１の上端の開口１２よりも高い位置で不図示の浴槽の排水口に接続されている。さらに、封水室１１の上端の開口１２を囲むように、排水室１３が封水室１１と一体に成型されている。
【００１５】
図２及び図３に示すように、排水室１３は、封水室１１の上端の外周面を囲むように略環状の底部を有する。周方向で排水枝管１４の上方に位置する底部１３Ａは、封水室１１の上端に近い位置に延設されている。底部１３Ａからは、下方に傾斜する底部１３Ｂが延び、周方向で排水枝管１４の延設位置と反対側の底部１３Ｃは、最も低い位置にある。そして、底部１３Ｃの位置に合わせて排水室１３の側部に排水口１６が開口している。排水室１３の側部は、円筒形状を有し、その上端は封水室１１の上端の開口１２よりも上方に延びている。排水室１３の天井部１７は、その中央に開口部１８が設けられている。開口部１８の内周面には、ネジ１８が刻まれている。この開口部１８には、フランジ部材３が螺着される。
【００１６】
ここで、図２から図４に示すように、封水室１１は、その内部が壁部２１で仕切られており、封水室１１の中心を通る細長の第一封水室２２と、第一封水室２２を挟むように分割配置される第二封水室２３とを有する。第二封水室２３の体積は、第一封水室２２の体積よりも大きいが、同じ大きさでも良い。
図３に示すように、第一封水室２２は、排水枝管１４に連なる連通口２４を有する。連通口２４の開口高さは、垂下部２４Ａによって排水枝管１４の開口長よりも小さくなっている。なお、垂下部２４Ａは、本実施の形態に必須の構成要素ではない。
第一封水室２２は、連通口２４が形成された一端部から、排水口１６側の他端部に向けて延びている。第一封水室２２の底部２５は、他端部側が上がるように傾斜しており、側視でトラップ本体２の中心付近まで延びている。底部２５の先には、側部２６が連なっている。側部２６は、他端部側が上がるように傾斜しており、その傾斜角度は、底部２５の傾斜角度よりも大きい。図２及び図３に示すように、側部２６の上端２６Ａは、側視で封水室１１の外周壁１１Ａよりも内側に配置され、ここから排水室１３の底部１３Ｃに向けて急峻に下がるガイド部２７が形成されている。
【００１７】
このように、第一封水室２２は、底部２５及び側部２６と、壁部２１並びに封水室１１の外周壁１１Ａとで区画され、その上端には第一の開口２８が形成されている。これに対して、第二封水室２３は、壁部２１と、封水室１１の外周壁１１Ａ及び底部１１Ｂで区画され、その上端には第二の開口２９が形成されている。第二の開口２９は、排水室１３の最も高い底部１３Ａと略同じ高さに設けられている。これに対して、第一の開口２８は、第二の開口２９及び排水室１３の底部１３Ａよりも高い位置に設けられている。これによって、第一の開口２８の開口位置から連通口２４の上縁（垂下部２４Ａの下端）までの長さ（排水枝管１４の封水高さＨ１）は、所定の値、例えば、５０ｍｍ〜１００ｍｍになっている。また、第二の開口２９の開口位置から防臭筒４の下端までの長さ（防臭筒４の封水高さＨ２）は、所定の値、例えば、５０ｍｍ〜１００ｍｍになっている。
【００１８】
フランジ部材３は、中央に排水口３２が排水室１３内に連通するように形成された筒形状を有し、その上端にフランジ３１が径方向外側に向けて延設されている。このフランジ３１と排水室１３の天井部１７との間には、洗い場ＢＲに設けた開口部がパッキン３５を介して挟み込まれる。排水口３２の下端部は、径方向内側に環状に突出して受け部３３を形成しており、この受け部３３に防臭筒４が支持されている。また、排水口３２の上端部付近には、上下方向に一対のリブ３４が周方向に略等間隔に複数突設されている。
【００１９】
図１、図３及び図４に示すように、防臭筒４は、内部に排水の流路を形成する筒本体４１を有する。筒本体４１は、排水口３２に挿入可能な外径を有し、その下部は第一封水室２２を跨いで第二封水室２３に進入できるように二股に分岐している。筒本体４１の上端には、ツバ部４２が径方向外側に環状に延設されており、ツバ部４２がパッキン４３を介してフランジ部材３の受け部３３に支持される。フランジ部材３に支持された状態では、第一封水室２２を跨ぐ底部４４が第一封水室２２の第一の開口２８よりも所定高さだけ上方にある。底部４４は閉塞されているので、第一の開口２８と防臭筒４との間の隙間で流路が形成される。なお、底部４４は、排水口１６側の部分４４Ａが傾斜するように切り上げられて十分な流路面積を確保するようになっているが、部分４４Ａは必須の構成要素ではない。また、防臭筒４の下端には開口４５が形成されている。開口４５と第二封水室の底部１１Ｂとの間には、所定の隙間が形成される。
【００２０】
目皿５は、排水口３２を塞ぐように配置され、排水を流す開口５１が複数形成されている。目皿５の側部には、凹部５２が複数形成されている。これら凹部５２は、フランジ部材３のリブ３４に係合されるもので、フランジ部材３に装着したときには、目皿５の上面とフランジ部材３の上面とが略面一になる。
【００２１】
次に、この実施の形態の作用について説明する。
通常の使用状態で第一封水室２２及び第二封水室２３には、それぞれの開口２８，２９の上端まで排水（封水）が貯溜されている。第二封水室２３に挿入された防臭筒４内にも下端の開口４５から進入した排水が第二の開口２９と同じ高さまで貯溜されている。第一封水室２２は排水で満たされているので、排水枝管１４の連通口２４付近も排水で満たされている。
【００２２】
洗い場ＢＲからの排水は、目皿５を通して排水口３２に流入する。さらに、図４に矢印で示すように、排水口３２から防臭筒４を通って第二封水室２３に導かれる。第二封水室２３の水量が増えるので、一部の排水が第二封水室２３の第二の開口２９から排水室１３に溢れ出す。排水は、排水室１３の底部に沿って流れ、排水口１６から下水管Ｗ１に排出される。
浴槽からの排水は、排水枝管１４に流入する。この排水は、連通口２４から第一封水室２２に流入する。第一封水室２２は、排水の流入方向に沿って配置された底部２５及び側部２６が傾斜配置されているので、排水はその流れを大きく乱すことなく第一の開口２８に向けて流れ、第一の開口２８と防臭筒４との隙間から溢れ出る。排水は、図３に矢印で示すように、主に底部４４の傾斜した部分４４Ａとの間の隙間を通って排水室１３に流出するが、第二封水室２３に流入してから排水室１３に溢れ出すこともある。傾斜した部分４４Ａとの間の隙間から流れ出た排水は、ガイド部２７を通って排水口１６から下水管Ｗ１に排出される。
【００２３】
この実施の形態によれば、第一封水室２２と第二封水室２３とを設け、防臭筒４を通る流路と、排水枝管１４を通る流路とを異ならせたので、排水枝管１４側の封水高さＨ１と防臭筒４側の封水高さＨ２とを異ならせることができる。第一封水室２２の第一の開口２８を高い位置に設定することで、排水トラップ１全体としての高さを変化させることなく排水枝管１４側の封水高さとして十分な大きさを確保でき、破封をさらに確実に防止できる。第二封水室２３の第二の開口２９の高さを変化させる必要はないので、第二封水室２３と排水室１３との間に十分な流路面積を確保でき、高圧洗浄管などの挿入も容易になる。したがって、洗い場ＢＲの排水時間を遅らせることがなく、排水口１６の洗浄も容易である。第一封水室２２側は、傾斜する底部２５及び側部２６で排水が第一の開口２９に向けて流れ易くなっているので、排水時間が遅延することはない。
【００２４】
（第二の実施の形態）
この発明の第二の実施の形態について図面を参照して詳細に説明する。なお、第一の実施の形態と同じ構成要素には、同一の符号を付してある。また、重複する説明は省略する。本実施の形態は、トラップ本体における封水室の形状及び排水枝管の接続位置が第一の実施の形態と異なることを特徴とする。
図５に示すように、排水トラップ６１のトラップ本体６２は、中心線に対してオフセットした位置に排水枝管１４が接続されている。封水室７１は、排水枝管１４の接続位置に合わせて、側方に延出させた形状になっている。封水室７１内は、壁部７２によって外周側の第一封水室８２と、中央の第二封水室８３とに区画されている。なお、第二封水室８３の体積は、第一封水室８２の体積よりも大きいが、同じ大きさでも良い。
【００２５】
第一封水室８２は、排水枝管１４が接続される一端部から周方向に沿って略円弧状に細長に延びている。第一封水室８２の他端部は、略垂直な側部８４になっており、ここから排水室１３に直接に排水を流せるようになっている。第一封水室８２の上端には、第一の開口８５が形成されている。第一の開口８５の位置は、第二封水室８３の上端に形成される第二の開口８６よりも高い位置にある。このような構成によって、第一の開口８５の開口位置から連通口２４の上縁までの長さ（排水枝管１４の封水高さＨ３）は、所定の値、例えば、５０ｍｍ〜１００ｍｍになっている。また、第二の開口８６の開口位置から防臭筒４の下端までの長さ（防臭筒４の封水高さＨ４）は、所定の値、例えば、５０ｍｍ〜１００ｍｍになっている。
【００２６】
防臭筒９４は、第二封水室８３に挿入可能な円筒状の筒本体９５を有する。筒本体９５の上部にはフランジ部材３に支持されるツバ部４２が延設されている。筒本体９５は、その下端には開口９６が形成されており、開口９６と第二封水室８３の底部８３Ａとの間に所定の隙間を形成する長さになっている。
【００２７】
この実施の形態の作用について説明する。
通常の使用状態で第一封水室８２及び第二封水室８３には、それぞれの開口８５，８６の上端まで排水（封水）が貯溜されている。防臭筒９４内及び排水枝管１４の連通口２４付近も排水で満たされている。洗い場ＢＲからの排水は、目皿５を通して排水口３２に流入する。さらに、排水口３２から防臭筒４を通って第二封水室８３に導かれ、第二の開口８６から排水室１３に溢れ出して排水口１６から下水管Ｗ１に排出される。
浴槽からの排水は、排水枝管１４から連通口２４を通って第一封水室８２に流入する。第一封水室８２から溢れ出した排水は、流れ方向の先端側に配置されている側部８４から主に溢れ出して排水室１３に流入し、排水口１６から下水管Ｗ１に排出される。一部の排水は、第二封水室８３に流入して第二封水室８３から排水室１３に溢れ出す。
【００２８】
この実施の形態によれば、第一封水室８２と第二封水室８３とを並んで配置したので、防臭筒９４を二股形状にする必要がない。中心からオフセットされた位置に設けられ周方向に延びる第一封水室８２は、排水室１３の底部の下方の空いている領域を主に使用して形成することができるので、第二封水室８３に十分な容積を確保でき、洗い場ＢＲ側の排水を速やかに処理することができると共に、排水口１６の洗浄も容易である。第一封水室８２は、連通口２４から十分な封水高さＨ１が確保できると共に、排水が流れる方向の前方に排水室１３及び排水口１６が配置されているので、速やかに排水ができ、排水時間の遅延が防止される。
【００２９】
なお、本発明は前記した各実施の形態に限定されずに広く応用することができる。
例えば、第二の実施の形態における第一封水室８２の底部８２Ａ（図７参照）及び側部８４を排水口１６側が上がるように傾斜させても良い。
実施の形態では、排水枝管１４と排水口１６とが略平行に配置してあるが、排水枝管１４と排水口１６は互いの軸線が交差（直交を含む）するように配置しても良い。この場合には、第一封水室の一端部側は、排水枝管１４からの排出の流れを遮ることがない向きに形成される。第一封水室の他端部側が排水口１６に向けて湾曲する形状にすると排水をさらいに速やかに流出させることができる。
第二封水室２３は、分割配置されているが、第一封水室２２の底部２５下などを利用して連通させても良い。
【図面の簡単な説明】
【００３０】
【図１】本発明の実施の形態に係る排水トラップの分解斜視図である。
【図２】図１のＡ−Ａに沿った断面図である。
【図３】図２のＢ−Ｂ線に沿った断面図である。
【図４】図３のＣ−Ｃ線に沿った断面図である。
【図５】他の実施の形態に係る排水トラップの封水室の配置を説明する断面図である。
【図６】図５のＤ−Ｄ線に沿った断面図である。
【図７】図６のＥ−Ｅ線に沿った断面図である。
【符号の説明】
【００３１】
１，６１      排水トラップ
２，６２      トラップ本体
４      防臭筒
１１，７１      封水室
１３      排水室
１４      排水枝管
１６      排水口
２２，８２      第一封水室
２３，８３      第二封水室
２４      連通口
２５      底部
２６      側部
Ｈ１      封水高さ
Ｈ２      封水高さ
【図１】
0004842021.tif 000002
【図２】
0004842021.tif 000003
【図３】
0004842021.tif 000004
【図４】
0004842021.tif 000005
【図５】
0004842021.tif 000006
【図６】
0004842021.tif 000007
【図７】
0004842021.tif 000008